(57)【特許請求の範囲】
【請求項１】
電気回路を有するデータキャリアであって、
各データブロックが区切りデータと有用データを含むデータを書き込み／読み取りデバイスから非接触型で変調されたキャリア信号によりデータブロックの形式で受信する、少なくとも1つのインターフェイスの回路部分を含み、前記区切りデータは前記データに含まれる前記有用データの前に配置されるデータであり、前記有用データは命令及び情報を含み有用データ処理手段により処理され、かつ
前記インターフェイスの前記回路部分から供給される第１のデータブロックの区切りデータを検出し、かつ少なくとも1つの有用データ開始信号を生成しかつ供給するように適合化されていて、当該少なくとも1つの有用データ開始信号を、前記区切りデータの検出に応じて生成しかつデータテスト手段へ供給することが出来る、区切りデータ検出手段を含み、かつ
データエラーに対する前記区切りデータ検出手段から供給される前記データをテストするように適合化されている前記データテスト手段を含む、
データキャリアにおいて、
前記区切りデータ検出手段が、前回に供給された前記有用データ開始信号により示される前記有用データの受信中に、第２のデータブロックの前記区切りデータを継続的に再検出し、かつ前記有用データ開始信号の前回の供給後にも前記有用データ開始信号を生成かつ供給するように適合化されている、ことを特徴とするデータキャリア。
【請求項２】
前記再検出された区切りデータを計数して区切りデータ計数を供給するように適合化されている区切りデータ計数手段が設けられていて、当該区切りデータ計数が、再検出された区切りデータの計数された数を表し、かつ前記決定基準が、値が１である前記区切りデータ計数によって形成されており、
前記データテスト手段によるテスト中に、前記区切りデータの前記再検出を終了させることができるか否かを、少なくとも1つの決定基準に基づいて決定するように適合化されている、前記区切りデータ検出手段の一部を形成する、決定手段が設けられていて、かつ前記区切りデータ検出手段が、前記区切りデータ計数が前記決定基準に一致した後に、前記区切りデータの前記検出を終了するように適合化されている、ことを特徴とする請求項1に記載のデータキャリア。
【請求項３】
有用データ開始信号の受信後にのみ前記有用データ内に現れるパルス検出信号を計数し、かつ計数されたパルスの数を表す有用データパルス計数を供給するように適合化されているパルス計数手段が設けられていて、かつ第１決定基準が、値２により表される前記有用データパルス計数によって形成されており、前記有用データパルス計数が前記第１決定基準に一致した後に、前記区切りデータの前記検出を終了するように適合化されている、ことを特徴とする請求項２に記載のデータキャリア。
【請求項４】
前記有用データパルス計数の値が１であるときに、有用データ時間間隔を測定し、かつ有用データ時間測定値を生成するように適合化されている有用データ時間測定手段が設けられていて、当該有用データ時間測定値が、測定された有用データ時間間隔を表し、かつ第２決定基準が、値が１である前記有用データパルス計数と、測定された有用データ時間間隔を表し、かつ前記区切りデータの受信の典型的な時間間隔に一致する前記有用データ時間測定値とによって形成されている、ことを特徴とする請求項３に記載のデータキャリア。
【請求項５】
前記決定手段が、前記区切りデータ検出手段の一部により形成されることを特徴とする、請求項４に記載のデータキャリア。
【請求項６】
前記データテスト手段が供給することができるデータエラー信号を受信するように適合化されている前記データテスト手段に対する開始抑制手段が、設けられていて、前記データエラー信号が、データエラーについての前記データの前記テスト中にデータエラーを伝えることを可能にし、かつ前記開始抑制手段が、前記データエラー信号が存在しない場合に、前記データテスト手段によるデータエラーについての前記データの前記テストの開始を抑制するように適合化されている、ことを特徴とする請求項１に記載のデータキャリア。
【請求項７】
前記データエラー信号が存在しない場合に、前記テストの実質的な直後に供給できる有用データ開始信号を抑制するように適合化されている供給抑制手段により、前記開始抑制手段が形成されていることを特徴とする、請求項６に記載のデータキャリア。
【請求項８】
前記開始抑制手段が、前記区切りデータ検出手段の一部と前記データテスト手段の一部により形成されていることを特徴とする、請求項６に記載のデータキャリア。
【請求項９】
前記データエラー信号が存在しない場合に、前記テストの実質的な直後に受信できる有用データ開始信号を抑制するように適合化されている受信抑制手段により、前記開始抑制手段が形成されていることを特徴とする、請求項６に記載のデータキャリア。
【請求項１０】
前記開始抑制手段が、前記データテスト手段の一部を形成することを特徴とする、請求項６に記載のデータキャリア。
【請求項１１】
前記回路が、集積回路の形式をとることを特徴とする、請求項１に記載のデータキャリア。
【請求項１２】
各データブロックが区切りデータと有用データを含むデータを書き込み／読み取りデバイスから非接触型で変調されたキャリア信号によりデータブロックの形式で受信する、少なくとも1つのインターフェイスの回路部分を含み、前記区切りデータは前記データに含まれる前記有用データの前に配置されるデータであり、前記有用データは命令及び情報を含み有用データ処理手段により処理され、かつ
前記インターフェイスの前記回路部分から供給される第１のデータブロックの区切りデータを検出し、かつ少なくとも1つの有用データ開始信号を生成しかつ供給するように適合化されていて、当該少なくとも1つの有用データ開始信号を、前記区切りデータの検出に応じて生成しかつデータテスト手段へ供給できる、区切りデータ検出手段を含み、かつ
データエラーについて前記区切りデータ検出手段から供給される前記データをテストするように適合化されている前記データテスト手段を含む、
データキャリア用回路において、
前記区切りデータ検出手段が、前回に供給された前記有用データ開始信号により示される前記有用データの受信中に、第２のデータブロックの前記区切りデータを継続的に再検出し、かつ前記有用データ開始信号の前回の供給後にも前記有用データ開始信号を生成かつ供給するように適合化されている、データキャリア用回路。
【請求項１３】
前記再検出された区切りデータを計数しかつ区切りデータ計数を供給するように適合化されている区切りデータ計数手段が設けられていて、当該区切りデータ計数が、再検出された区切りデータの計数された数を表し、かつ前記決定基準が、値が1である前記区切りデータ計数によって形成されており、
前記データテスト手段によるテスト中に、前記区切りデータの前記再検出を終了させることができるか否かを、少なくとも1つの決定基準に基づいて決定するように適合化されている、前記区切りデータ検出手段の一部を形成する、決定手段が設けられていて、かつ前記区切りデータ検出手段が、前記区切りデータ計数が前記決定基準に一致した後に、前記区切りデータの前記検出を終了するように適合化されている、ことを特徴とする請求項１２に記載の回路。
【請求項１４】
有用データ開始信号の受信後にのみ前記有用データ内に現れるパルス検出信号を計数し、かつ計数されたパルスの数を表す有用データパルス計数を供給するように適合化されている有用データパルス計数手段が設けられていて、第１決定基準が、値が２である前記有用データパルス計数によって形成されており、前記有用データパルス計数が前記第１決定基準に一致した後に、前記区切りデータの前記検出を終了するように適合化されている、ことを特徴とする請求項１３に記載の回路。
【請求項１５】
前記有用データパルス計数の値が１であるときに、有用データ時間間隔を測定し、かつ有用データ時間測定値を生成するように適合化されている有用データ時間測定手段が設けられていて、当該有用データ時間測定値が、測定された有用データ時間間隔を表し、かつ、第２決定基準が、値が１である前記有用データパルス計数と、測定された有用データ時間間隔を表しかつ前記区切りデータの受信の典型的な時間間隔に一致する前記有用データ時間測定値とによって形成されている、ことを特徴とする請求項１４に記載の回路。
【請求項１６】
前記決定手段が、前記区切りデータ検出手段の一部により形成されていることを特徴とする、請求項１５に記載の回路。
【請求項１７】
前記データテスト手段によって供給できるデータエラー信号を受信するように適合化されている開始抑制手段が、前記データテスト手段用に設けられていて、前記データエラー信号が、データエラーについての前記データの前記テスト中にデータエラーを伝えることを可能にし、かつ前記開始抑制手段が、前記データエラー信号が存在しない場合に、前記データテスト手段によるデータエラーについての前記データの前記テストの開始を抑制するように適合化されている、ことを特徴とする請求項１２に記載の回路。
【請求項１８】
前記データエラー信号が存在しない場合に、前記テストの実質的な直後に供給できる有用データ開始信号を抑制するように適合化された供給抑制手段により、前記開始抑制手段が形成されていることを特徴とする請求項１７に記載の回路。
【請求項１９】
前記開始抑制手段が、前記区切りデータ検出手段の一部と前記データテスト手段の一部により形成されていることを特徴とする、請求項１７に記載の回路。
【請求項２０】
前記テストの実質的な直後に受信できる有用データ開始信号を、前記データエラー信号が存在しない場合に抑制するように適合化された受信抑制手段により、前記開始抑制手段が形成されることを特徴とする請求項１７に記載の回路。
【請求項２１】
前記開始抑制手段が、前記データテスト手段の一部を形成していることを特徴とする請求項１７に記載の回路。
【請求項２２】
前記回路が、集積回路の形式をとることを特徴とする請求項１２に記載の回路。
【発明の詳細な説明】
【発明が属する技術分野】
【０００１】
本発明は、請求項1の於て書きに記載されるデータキャリアに関する。
【０００２】
本発明は、さらに、請求項14の於て書きに記載される回路に関する。
【０００３】
【従来の技術】
このようなデータキャリアおよびこのような回路は、本出願人によって開発され、「I●CODE」という名称のインテリジェントタグ(intelligent tag)として市販されている、公知の回路である。
【０００４】
この公知のデータストリームは、非接触型通信用のインタフェースと有効な書き込み／読み取りデバイスを有する。この公知のデータキャリアが有効な読み取りデバイスの通信範囲内に置かれると、書き込み／読み取りデバイスとデータキャリアの間に電磁結合が確立される。次いで、データキャリアの電気回路の動作用の電力が、インタフェースによりデータキャリアに供給され、動作電圧に達した後、パワーオンリセット信号(power-on reset signal)が電気回路に流される。さらに、データキャリアは、インタフェースを使用して、データブロックの形式をとるデータのストリームを受信する。データブロックは、区切りデータと有用データを含む。
【０００５】
データキャリアの中の有用データを利用できるようにするため、最初に、データキャリアを、受信されたデータのストリームと同期させる必要がある。この目的のために、データキャリアは、作動状態において、区切りデータを検出し、検出時に有用データ開始信号を供給するように適合化されているデータキャリア区切りデータ検出手段を含んでいる。区切りデータ検出手段は、開始信号によって作動させることができ、この開始信号は、データキャリアが書き込み／読み取りデバイスの通信範囲に初めて入ったときの作動の場合にはパワーオンリセット信号によって形成される。区切りデータが検出された後、有用データ開始信号が供給され、その時点で区切りデータ検出手段が停止される。ここで、データキャリアと受信データとの同期が終了する。
【０００６】
しかしながら、同期が成功したことをさらに確認する必要がある。この目的のために、データキャリアは、有用データ開始信号を受信し、かつ有用データ開始信号の受信時に、データエラーについての受信データのテストが開始されるように適合化されたデータテスト手段を有する。データテスト手段は、データエラーの発生時にデータエラー信号を供給するように適合化されている。受信データのテスト時にデータエラーが見つかると、データテスト手段は、データエラー信号を生成、供給し、次いで、データテスト手段は停止される。データエラー信号が存在することは、状況が異なることを意味しうる。一つは、伝送エラーが発生したか、または有用データに含まれる命令がサポートされていないことを意味する。この一方で、データエラー信号の発生は、データキャリアと受信されたデータストリームとの同期が不正確であることも示しうる。
【０００７】
本発明においては、データエラー信号は、データエラー信号の意味に関係なく区切りデータ検出手段の開始信号を形成し、その結果、区切りデータ検出手段は再び作動し、区切りデータの検出が再び開始される。このようにして、データキャリアの同期が再開される。
【０００８】
公知のデータキャリアの場合においては、データテスト手段がデータエラーを検出しなくなるまで、まだ通信範囲内にあるデータキャリアの再同期が繰り返される。データテスト手段は、この状況になったとき、すなわちデータエラー信号が現れなくなったときに、有用データ処理手段に有用データを供給するように適合化されており、データテスト手段はこの時点で停止する。
【０００９】
データのストリームの時系列と、データブロックの区切りデータおよび有用データの内容を定義する通信プロトコルにおいて、区切りデータと有用データを明確に区別するなどの適切な方策がとられる、すなわち、伝達する有用データに対して通信プロトコルの独立性が保証される場合には、データキャリアの予見される用途において許容される予測可能な時間間隔内で、この公知のデータキャリアをデータのストリームに単純かつ信頼性高く同期させることが可能となる。
【００１０】
区切りデータと有用データとが明確に区別されない、すなわち、通信が、伝送する有用データとは独立していない場合でも、データブロックの間に、有用データのパルス間の最大パルス間隔よりも長いデータブロックポーズを配置することによって、信頼できる同期を達成できるが、この場合は、通信時間の望ましくない延長が発生する。
【００１１】
公知のデータキャリアが、通信の標準ISO/IEC FDIS 15693-2: 1999 (E)に従う通信プロトコルを使用する場合、この通信プロトコルは、有用データに対する通信プロトコルの独立性を保証しないので、データキャリアとデータのストリームの同期における問題が生じることがある。その理由は、この標準では、データブロックの先頭とデータブロックの最後に、異なる区切りデータ（それぞれ、SOF区切りデータとEOF区切りデータ）が規定されており、EOF区切りデータがSOF区切りデータのサブグループを形成するためである。この通信プロトコルに関連して、公知のデータキャリアおよび公知の回路では、EOF区切りデータに隣接する有用データの一部とEOF区切りデータの一部との組み合わせが誤ってSOF区切りデータとして検出され、これに伴い区切りデータ検出手段が誤ってデータテスト手段にテストを開始させ、そのテストの結果必然的に新しい同期プロセスが行われる、という問題が発生することがある。前述の標準に従うデータの2種類の符号化に対しては、少なくとも65通りの組み合わせが生じる可能性があり、最悪の場合には受信されたデータのストリームとの同期が取れなくなることさえある。
【００１２】
【課題を解決するための手段】
本発明の目的は、請求項1の於て書きに記載されるタイプのデータキャリアと、請求項14の於て書きに記載されるタイプのデータキャリア用の回路とに関する前述の問題を解決し、有用データとは独立していない通信プロトコルの場合においても、データキャリアとデータキャリア用の回路において、受信されたデータのストリームとの信頼できる同期が保証される、改良されたデータキャリアと、データキャリア用の改良された回路を提供することである。
【００１３】
請求項1の於て書き部分に記載されるタイプのデータキャリアにおいて、当該目的は、請求項1の特徴記載部分に定義される特徴的な形状構成を設けることによって達成される。
【００１４】
さらに、請求項14の於て書き部分に定義されるタイプの、データキャリア用の回路においては、当該目的は、請求項14の特徴記載部分に定義される特徴的な形状構成を設けることによって達成される。
【００１５】
請求項1と請求項14にそれぞれ定義される特徴的な形状構成を設ける結果として、有用データに対して独立していない通信プロトコルの場合でも、データキャリアとデータキャリア用の回路において、受信されたデータのストリームとの信頼できる同期が保証されることが、有利な方法で達成される。
【００１６】
請求項2と請求項15にそれぞれ定義される特徴的な形状構成を設ける結果として、区切りデータが検出されて有用データのテストが開始された後に、データブロックの有効な区切りデータが検出されたことが確認された時点で、区切りデータの継続的に繰り返される検出を終了できることが、有利な方法で達成される。さらなる利点は、データブロックの有効な区切りデータが検出されたことが確認された後に、区切りデータの不要な継続的に繰り返される検出が阻止され、このことによって、区切りデータが再検出された場合にデータブロックの有用データのテストが誤って中断されることがなくなるということにおいて、達成される。
【００１７】
請求項3と請求項16にそれぞれ定義される特徴的な形状構成を設ける結果として、すでに区切りデータが検出されて区切りデータが最初に再検出された後に、継続的に繰り返される区切りデータの検出が中断されることが、有利な方法で達成され、この理由は、有効な区切りデータが利用可能である必要があるのは最初の再検出の時点までであり、従って継続的に繰り返される検出は意味がないためである。さらなる利点は、再検出が比較的単純に識別できることにおいて達成され、この理由は、再検出を識別するためには、検出された区切りデータを計数するための手段を必要とするのみであるためである。
【００１８】
請求項4と請求項17にそれぞれ定義される特徴的な形状構成を設ける結果として、区切りデータ検出手段が、区切りデータの再検出について自身の判断で決定できることが、有利な方法で達成される。
【００１９】
請求項5と請求項18にそれぞれ定義される特徴的な形状構成を設ける結果として、区切りデータの継続的に繰り返される検出が、有用データの中に発生する2番目のパルスの後ですでに中断されているようにできる（ただし、その2番目のパルスの出現中に、区切りデータ検出手段によって有効な区切りデータが検出されない場合）ことが、有利な方法で達成される。その理由は、この場合、最初のパルスと2番目のパルスがデータブロックの有用データの一部を形成するためである。
【００２０】
請求項6と請求項19にそれぞれ定義される特徴的な形状構成を設ける結果として、区切りデータの継続的に繰り返される検出が、有用データの中に発生する最初のパルスの後、その最初のパルスが出現後に測定される時間間隔（この時間間隔は区切りデータの受信のための典型的な時間間隔に一致する）が経過した時点で、すでに中断されているようにできることが、有利な方法で達成される。その理由は、この場合、最初のパルスが、データブロックの有用データの一部をすでに形成するためである。
【００２１】
請求項7と請求項20にそれぞれ定義される特徴的な形状構成を設ける結果として、検出手段を、区切りデータ検出手段の中にすでに存在する部分を使用する最も簡単な方法で実現することが、有利な方法で達成される。
【００２２】
請求項8と請求項21にそれぞれ定義される特徴的な形状構成を設ける結果として、データエラーについてのデータのテスト時にデータエラーが報告されない状態で、有用データ内の区切りデータが検出されたときに、データテスト手段が、不必要に新たに、すなわち、誤って開始してしまうことを阻止することが、有利な方法で達成される。
【００２３】
請求項9と請求項22にそれぞれ定義される特徴的な形状構成を設ける結果として、データエラーについてのデータのテストを開始させるための有用データ開始信号の供給を抑制することによって、データテスト手段が、誤って開始してしまうことを阻止することが、有利な方法で達成される。
【００２４】
請求項10と請求項23にそれぞれ定義される特徴的な形状構成を設ける結果として、データエラーについてのデータのテストを開始するための有用データ開始信号の供給が、例えば、区切りデータ検出手段の制御可能な出力（この出力は、本質的にデータエラー信号によって直接的に制御可能であるように有利に設定される）により、簡単に抑制されることが、有利な方法で達成される。
【００２５】
請求項11と請求項24にそれぞれ定義される特徴的な形状構成を設ける結果として、データテスト手段を誤って開始してしまうことが、データエラーについてのデータのテストを開始するための有用データ開始信号の受信を抑制することによって、阻止されることが、有利な方法で達成される。
【００２６】
請求項12と請求項25にそれぞれ定義される特徴的な形状構成を設ける結果として、データエラーについてのデータのテストを開始するための有用データ開始信号の受信を抑制することが、例えば、データテスト手段の制御可能な入力（この入力は、本質的にデータエラー信号によって直接的に制御可能であるように有利に設定される）を使用することで、簡単に行われることが、有利な方法で達成される。
【００２７】
請求項13と請求項26にそれぞれ定義される特徴的な形状構成を設ける結果として、生産数量が適切な大きさである場合に、最低限のコストでの生産が保証されることが、有利な方法で達成される。
【００２８】
本発明の上述されている観点とさらなる観点は、以下に例を通じて説明される実施例から明らかになり、これらの例を参照しながら明確にされるであろう。
【００２９】
本発明は、例によって提示されるいくつかの実施例を示す図面を参照しながら、以下に詳細に説明されている。ただし本発明は、これらの実施例に限定されない。
【００３０】
【発明を実施するための形態】
図1は、標準ISO/IEC FDIS 15693-2: 1999 (E)に従う通信プロトコルに従うデータDの双方向通信システム、すなわち、データキャリアからデータDを受信し、かつデータキャリアにデータDを伝送する通信を提供するように機能し、かつそのように適合化されている読み取り/書き込みデバイスのブロック線図を示す。このうち受信については、本発明に関係しないため以下では説明されていない。
【００３１】
書き込み／読み取りを伝送するこの目的のために、デバイス1は、デバイスインタフェース手段2を有する。デバイスインタフェース手段2は、図1には示されていない手段によるて高周波キャリア信号によって通電することができる第1通信コイル3を含む。データDの伝送中に、キャリア信号は、図1には示されていない変調手段によって、データDに従って振幅変調される。
【００３２】
伝送データは、データのストリームDとして伝送される。このストリームは、ポーズ(pause)が間に挿入されたデータブロックの形式をとり、各データブロックは、区切りデータSDおよびEDと有用データUDを含み、有用データUDは、区切りデータSDとEDの間に配置されている。標準によると、有用データUDの前に配置される区切りデータSD（いわゆる、SOF区切りデータSD）は、有用データUDの後に配置される区切りデータED（いわゆる、EOF区切りデータED）と区別することができる。EOF区切りデータEDは、SOF区切りデータSDのサブグループを形成する。有用データUDは、標準によると、特に命令と情報を含むことができる。
【００３３】
図1は、さらに、書き込み／読み取りデバイス1によるデータDの非接触型双方向通信を提供するように適合化されたデータキャリア4のブロック線図も示す。この目的のために、このデータキャリアは、電気回路5を有し、この回路5は、少なくとも1つのインターフェイス6の回路部分を含み、この回路部分は、データブロックの形式におけるデータDを受信し、かつデータブロックの形式におけるデータDを伝送するように適合化されている。
【００３４】
インタフェース6は、第2通信コイル7、データ変換手段8、電圧発生器9、およびクロック生成手段9Aを含む。本実施例の場合、少なくとも1つのインタフェース6の回路部分は、クロック生成手段9A、電圧発生器9、およびデータ変換手段8によって形成される。インタフェース6のこの回路部分は、第2通信コイル7によって通電されるように適合化されている。
【００３５】
インタフェース6は、データキャリア4が書き込み／読み取りデバイス1の通信範囲に入ったときに第1通信コイル3と第2通信コイル7の間に電磁結合(inductive coupling)が確立されるように、構成されている。第1通信コイル3と第2通信コイル7の間に電磁結合が存在すると、書き込み／読み取りデバイス1からデータキャリア4に電力を伝送でき、さらに、書き込み／読み取りデバイス1とデータキャリア4の間のデータDの通信が、インタフェース6を使用することで可能となる。最初に、インタフェース6は、電圧発生器9に回路5の供給電圧Vを生成させる。同時に、クロック生成手段9Aは、受信されたキャリア信号から回路5のデータ処理手段10のシステムクロックCLKを導出し、それをデータ処理手段10に供給する。システムクロックCLKが安定し、かつ供給電圧Vがその公称値に到達すると、電圧発生器9は、データ処理手段10にパワーオンリセット信号PORを供給することができる。これによって、データ処理手段10においてデータの処理を開始できる。データ変換手段8は、書き込み／読み取りデバイス1からデータキャリア4へのデータDの伝送中に、第2通信コイルからの変調されたキャリア信号を受信するように構成されている。データ変換手段8は、受信された変調されたキャリア信号をデータのシリアルデジタル表現に変換でき、かつ、このデータ表現をデータ処理手段10に供給できる。データ変換手段8は、データキャリア4から書き込み／読み取りデバイス1へのデータDの伝送中に、データ処理手段10からデータDを受信するように適合化されている。この場合、データ変換手段8は、通信コイル7によって受信されたキャリア信号の負荷変調を行い、これにより、データDをデータキャリア4から書き込み／読み取りデバイス1に伝送可能にするように、適合化されている。
【００３６】
回路5は、インタフェース6の回路部分の他に、区切りデータ検出手段11、データテスト手段12、有用データ処理手段13、およびメモリ手段14を含む。データ変換手段8がデータDをデータ処理手段10に供給すると、そのデータは、区切りデータ検出手段11に与えることができる。区切りデータ検出手段11は、データブロックの区切りデータSDとEDを検出し、SOF区切りデータSDが検出された時点で、区切りデータSDの検出時に生成して供給させることができる有用データ開始信号SOFを供給するように適合化されている。パワーオンリセット信号PORが現れると、区切りデータ検出手段11は、検出を再開できる。
【００３７】
区切りデータ検出手段11は、データDに含まれている有用データの先頭を検出するための有用データ検出手段15を含む。従って、有用データ検出手段15は、SOF区切りデータSDを検出し、SOF区切りデータSDの検出時に有用データ開始信号SOFを供給するように適合化されている。
【００３８】
本実施例の場合、有用データ検出手段15は、さらに、SOF区切りデータSDの検出中にデータDの符号化タイプを検出するようにも適合化されている。本実施例の場合、第1符号化タイプと第2符号化タイプの検出が可能である。有用データ検出手段15は、第1符号化タイプが検出されたときに、第1符号化情報CI1をデータテスト手段12に供給するように適合化されている。
【００３９】
区切りデータ検出手段11は、さらに、データエラー信号DEを受信するように適合化されている。このデータエラー信号DEの受信に応答して、データDの中のSOF区切りデータSDの検出の新たな開始が可能となる。
【００４０】
さらに、区切りデータ検出手段11は、受信準備完了信号Rを受信するように適合化されていて、かつ受信準備完了信号Rの受信に応答して、区切りデータ検出手段11は、区切りデータSDとEDの検出を再開することができる。
【００４１】
区切りデータ検出手段11は、さらに、データDに含まれている有用データUDの有用データの最後を検出するための有用データ終端検出手段16を含む。従って、有用データ終端検出手段16は、EOF区切りデータEDの検出時に、有用データ終端信号EOFを生成して供給するように適合化されている。有用データ終端検出手段16は、さらに、有用データ開始信号SOFが受信されたときにEOF区切りデータEDの検出を開始できるようにするために、有用データ開始信号SOFを受信するように適合化されている。
【００４２】
データテスト手段12は、データD、有用データ開始信号SOF、第1符号化情報CI1、第2符号化情報CI2、および有用データ終端信号EOFを受信するように適合化されている。データテスト手段12は、さらに、データDに含まれている有用データUDをテストするように適合化されている。このデータテスト手段は、データDに含まれている有用データUDのテストを、有用データ開始信号SOFの受信の後に開始できる。このテスト中には、例えば、受信された第1符号化情報CI1または受信された第2符号化情報CI2に基づいて有用データUDの中にコード違反が存在するか否か、あるいはデータ処理手段10の命令セットの中に存在しない命令が有用データUDの中に含まれるか否かが判断される。データテスト手段12は、テスト中にデータエラーを検出でき、データエラーを検出した時点でデータエラー信号DEを区切りデータ検出手段11に供給するように適合化されている。
【００４３】
次いで、データテスト手段12は、有用データ開始信号SOFを使用することでデータエラーについてのデータDのテストが再開されるまで、データエラーについてのデータDのテストを停止する。しかしながら、データテスト手段12によるテストは、有用データ終端信号EOFを受信した時点で終了させることもできる。データテスト手段12は、データエラー信号DEが現れていないとき、すなわち有用データUDにエラーがなく、かつ有用データ終端信号EOFが受信されていないときに、有用データUDを有用データ処理手段13に供給するように適合化されている。
【００４４】
有用データ処理手段13は、有用データUDを処理する、すなわち、有用データUDに含まれる命令を実行するように適合化されている。有用データ処理手段13は、命令を使用して算術演算を実行でき、また、メモリ手段14にアクセスできるようにされている。メモリ手段14へのアクセス中には、例えば、有用データUDに含まれる情報を入力データIDとしてメモリ手段14にロードすることも可能である。しかしながら、メモリ手段14に格納されている情報は、出力データODとしてメモリ手段14から読み取ることができ、この出力データODは、有用データ処理手段13からデータ変換手段8に、伝送データDとして供給できる。さらに、有用データ検出手段13は、有用データUDの処理中に、受信準備完了信号Rを生成して供給するように適合化されている。受信準備完了信号Rは、例えば、有用データUDの処理後に生成でき、その生成の結果として、データキャリア4の中の区切りデータSDおよびEDの検出を、パワーオンリセット信号PORとは独立して再開することができる。
【００４５】
有用データ検出手段15は、SOF区切りデータSDの検出のために、パルス検出手段17、パルス計数手段18、時間測定手段19、および評価手段20を有する。パルス検出手段17は、データ変換手段8によって供給されるデータDを受信することができる。パルス検出手段17は、データDの中のパルスを検出し、かつパルス検出信号IRを生成、供給するように適合化されている。パルス検出信号IRは、評価手段20、パルス計数手段18、および時間測定手段19に与えることができる。パルス計数手段18は、パルス検出信号IRを受信し、検出されたパルスを計数するように適合化されている。パルス計数手段は、パルスの計数中に、パルス計数CVを生成し、かつこのパルス計数CVを供給するように適合化されている。パルス計数CVは、計数時に値として1および2をとることができる。時間測定手段19は、パルス検出信号IRを受信し、2つの受信されたパルス検出信号IRの間の経過時間を測定するように適合化されている。時間測定手段19は、経過時間の測定中に、時間測定値TVを生成し、この時間測定値TVを供給するように適合化されている。時間測定手段19において、経過時間の測定は、データ処理手段10に与えられたシステムクロックCLKに基づいて行われる。評価手段20は、パルス検出信号IR、パルス計数CV、および時間測定値TVを受信するように適合化されている。評価手段20は、さらに、パルス検出信号IR、パルス計数CV、および時間測定値TVに基づいてデータD内のSOF区切りデータSDを評価、すなわち検出し、データDの第1符号化タイプまたは第2符号化タイプを検出するように適合化されている。評価手段20は、評価の第1予備結果として、上述の第1符号化情報CI1または第2符号化情報CI2を生成して供給することができる。さらに、評価手段20は、評価の第2予備結果として、有用データ開始信号SOFを生成して供給することができる。
【００４６】
区切りデータ検出手段11における区切りデータSDおよびEDの検出は、最初、パワーオンリセット信号PORが現れることによって開始される。次に、区切りデータ検出手段11に含まれている有用データ検出手段15は、SOF区切りデータSDの検出から開始される。区切りデータ検出手段11に含まれている有用データ終端検出手段16は、SOF区切りデータSDの検出の後にのみ、すなわち有用データ開始信号SOFの出現後にのみ作動する。
【００４７】
この観点から、有用データ開始信号SOFが供給された後にも、すなわちデータテスト手段12によるテスト中にも、区切りデータ検出手段11が、データブロックの区切りデータSDおよびEDの検出を継続的に繰り返して有用データ開始信号SOFを生成するように適合化されていること、すなわち、SOF区切りデータSDが検出されて有用データ開始信号SOFが供給された後に、有用データ開始検出手段15が停止されないことは、非常に有利であることが判明した。このことは、本実施例においては、有用データから独立していない通信プロトコルの使用時に生じうるケースとして、有用データの一部とEOF区切りデータの一部または全体との組み合わせと、SOF区切りデータSDとを明確に区別できない場合にも、データキャリア4とデータキャリア4用の回路5においてデータDとの信頼できる同期が確保されるという大きな利点を有する。
【００４８】
さらに、データテスト手段12を使用して区切りデータSDおよびEDの繰り返される検出を終了できるか否かを決定基準Vに基づいて決定するように適合化されている決定手段21が設けられていることと、区切りデータ検出手段11が、決定基準Vが満たされるときに区切りデータSDおよびEDの検出を終了するように適合化されていることは、データキャリア4にとって有利であることが判明した。この目的のために、決定手段21は、基準格納手段22、比較手段23、および参照データ計数手段24を含む。
【００４９】
基準格納手段22は、決定基準Vを格納するように適合化されている。比較手段23は、基準格納手段22に格納されている決定基準Vを受信し、その一方で、比較値を受信するように適合化されている。比較値と決定基準Vとが一致する場合には、比較手段23は、検出終了信号EOIを生成してこれを有用データ開始検出手段15と有用データ終端検出手段16に供給することができる。区切りデータ計数手段24は、新たに検出されたSOF区切りデータSDを計数し、すなわち、有用データ開始信号SOFの出現を計数し、区切りデータ計数BZを供給するように適合化されている。本実施例の場合、区切りデータ計数BZは、比較手段23に与えられる比較値を形成する。本実施例の場合、決定基準Vを形成するのは、値が「1」である区切りデータ計数BVである。このことは、区切りデータSDとEDの継続的に繰り返される検出が、SOF区切りデータSDの最初の再検出の後にすでに終了されているという利点を有する。このことは、特に、データキャリア4とデータDのストリームとの信頼性の高い同期が、最初の再検出の後にすでに保証される用途に関する。
【００５０】
本実施例の場合、決定手段21は、区切りデータ検出手段11の一部を形成する。
【００５１】
本実施例の場合、データキャリア4のデータ処理手段10は、配線接続された電子回路の形式をとる。
【００５２】
データキャリア4の回路5は、集積回路の形式をとる。
【００５３】
図2は、図1に示されているデータキャリア1に似たデータキャリア1のブロック線図を示す。図2に示されているデータキャリア1は、図1における決定手段21に類似した決定手段21を有する。この決定手段21は、基準格納手段22と比較手段23も含む。本実施例の場合、基準格納手段22は、第1決定基準V1を格納し、かつ第2決定基準V2を格納するように適合化されている。本実施例の場合、比較手段23は、2つの決定基準V1およびV2を受信し、第1比較値と第2比較値を受信するように構成されている。
【００５４】
決定手段21は、有用データUD内に現れるパルスを計数するように適合化されている有用データパルス計数手段25を含む。このパルスは、有用データ開始信号SOFの出現の後にデータ内に現れるパルスである。有用データパルス計数手段25は、さらに、計数されたパルス数を表す値である有用データパルス計数Wを供給するように適合化されている。従って、有用データパルス計数手段25は、有用データ開始信号SOFを受信し、パルス検出信号IRを受信するように構成されており、有用データパルス計数手段25は、有用データ開始信号SOFの受信後にのみパルス検出信号IRを計数できる。有用データパルス計数Wは、有用データパルス計数手段25によって比較手段23に供給され、第1比較値を形成する。本実施例の場合、第1決定基準V1を形成するのは、値が「2」である有用データパルス計数Wである。このことは、決定手段21が、2番目のパルスの出現までにSOF区切りデータが検出されていない場合、有用データUD内に現れる2番目のパルスの後にSOF区切りデータSDの検出を終了できるという利点を有する。
【００５５】
データキャリアは、さらに、時間測定手段28を含む。この時間測定手段28は、有用データパルス計数Wの値が「1」になった後に、有用データUD内の最初のパルスの出現後の有用データ時間間隔を測定し、有用データ時間測定値を供給するように適合化されている。この有用データ時間測定値は、測定された有用データ時間間隔を表す。本実施例の場合、有用データ時間間隔を測定するための有用データ時間測定手段28は、有用データパルス計数Wの値が「1」になった後にのみ、時間測定手段19によって供給される時間測定値TVを受信するように比較手段23が適合化される、ように構成されている。従って、有用データ時間測定手段28は、比較手段23、有用データパルス計数手段25、および時間測定手段19によって形成される。本実施例の場合、第2決定基準は、数値が「1」である有用データパルス計数Wと時間測定値TVとによって形成され、時間測定値TVは、区切りデータの受信の典型的な時間間隔に対応する。このことは、有用データUD内に現れる最初のパルスの後、このパルスの出現後に測定されてSOF区切りデータSDの受信の典型的な時間間隔に対応する有用データ時間間隔の経過後に、SOF区切りデータSDの再検出をすでに終了できるという利点を有する。なぜなら、この場合、有用データUD内に現れる最初のパルスは、データDの有用データUDの一部を形成するためである。
【００５６】
図3は、図1に示されているデータキャリア4に類似したデータキャリア4のブロック線図を示す。図3のデータキャリア4は、図1のデータキャリア4とは対照的に、区切りデータSDおよびEDの再検出を終了できるか否かを決定するための決定手段21を含まない。図3に示されているデータキャリア4は、データテスト手段12用の開始抑制手段29を含む。この開始抑制手段は、データテスト手段12によって供給できるデータエラー信号DEを受信し、かつ、データテスト手段12によるデータエラーについてのデータテストの開始を抑制するように、適合化されている。開始抑制手段29は、有用データ開始信号SOFが実質的にテスト直後に供給されることを抑制するように適合化されている供給抑制手段26により形成されている。図3に示されているデータキャリア4の場合、供給抑制手段26は、評価手段20の、有用データ開始信号SOFを供給する制御可能出力により形成されている。制御可能出力の代わりに、評価手段20とは別の制御段を評価手段20の出力の後に配置してもよい。本実施例の場合、開始抑制手段29は、区切りデータ検出手段11の一部、すなわち供給抑制手段26として使用される評価手段20の制御可能出力と評価手段20の一部を使用し、かつ、データテスト手段12により（なぜなら、供給抑制手段26はデータテスト手段12と協動するように適合化されているため）、形成される。
【００５７】
開始抑制手段29を設けた結果、SOF区切りデータSDの継続的な再検出は中断されず、同時に、データテスト手段が誤って開始されることも阻止される。
【００５８】
図4は、図1に示されているデータキャリア4に類似しており、かつ図3に示されているデータキャリア4と同様に決定手段が設けられていないデータキャリア4のブロック線図を示す。しかしながら、図4に示されているデータキャリア4も、開始抑制手段29を有する。この開始抑制手段29は、データエラー信号DEがないときに、実質的にテスト直後に受信することができる有用データ開始信号SOFを抑制するように適合化されている受信抑制手段27により形成されている。受信抑制手段27は、データテスト手段12の、有用データ開始信号SOFを受信する制御可能入力により形成されている。制御可能入力の代わりに、データテスト手段12とは別の制御段をデータテスト手段12の入力の前に配置することもできる。本実施例の場合、開始抑制手段29は、データテスト手段12の一部、すなわち受信抑制手段27として使用される制御可能入力と、データテスト手段12自身とにより（なぜなら、受信抑制手段27は、データテスト手段12によって生成できるデータエラー信号DEと協力するように適合化されているため）、形成される。従って、データテスト手段12が、有用データ開始信号SOFの受信を自主的に決定できることが、有利に達成される。
【００５９】
図5は、図1に示されているデータキャリア4に類似したデータキャリア4のブロック線図を示す。図5に示されているデータキャリア4は、図1に示されているデータキャリア4とは対照的に、決定手段21を含まない。
【００６０】
本実施例の場合、区切りデータ検出手段11は、第1区切りデータ検出手段11Aと第2区切りデータ検出手段11Bにより形成される。第1区切りデータ検出手段11Aと第2区切りデータ検出手段11Bは、それぞれ、図1に示されている有用データ開始検出手段15と、有用データ終端検出手段16を含む。区切りデータ検出手段11は、パワーオンリセット信号POR、または受信準備完了信号Rにより開始することができる。
【００６１】
さらに、本実施例の場合におけるデータテスト手段12は、第1データテスト手段12Aと第2データテスト手段12Bにより形成される。
【００６２】
第1区切りデータ検出手段11Aは、区切りデータ検出手段11の開始後、データブロックのSOF区切りデータSDを検出して、第1有用データ 開始信号SOFAを生成するように適合化されている。この第1有用データ開始信号SOFAは、第1区切りデータ検出手段11Aによって、第2区切りデータ検出手段11Bと第1データテスト手段に供給させることができる。さらに、第1区切りデータ検出手段11Aは、SOF区切りデータSDの検出中にデータDの符号化タイプを検出し、第1符号化タイプが検出されると第1符号化情報CI1Aをデータテスト手段12Aに供給し、第2符号化タイプが検出されると第2符号化情報CI2Aをデータテスト手段12Aに供給することができるように適合化されている。さらに、第1区切りデータ検出手段11Aは、EOF区切りデータEDを検出すると、第1有用データ終端信号EOFAを生成し、これを第1データテスト手段12Aに供給することができる。第1区切りデータ検出手段11Aは、SOF区切りデータSDを検出し、かつ第1有用データ開始信号SOFAと第1符号化情報CI1Aまたは第2符号化情報CI2Aを供給した後に、SOF区切りデータSDの検出を作動させるように構成されている。
【００６３】
第1データテスト手段12Aは、図1に示されているデータキャリア4のデータテスト手段12とは対照的に、データエラーについてのデータDのテスト中にデータ有効性信号DVを供給するように適合化されている。このデータ有効性信号DVは、データエラーについてのデータDのテストの終了後に、データエラーがない場合に生成させ、そして第2区切りデータ検出手段11Bに供給させることが出来る。
【００６４】
第2区切りデータ検出手段11Bは、第1有用データ開始信号SOFAにより開始させることができる。従って、開始された第2区切りデータ検出手段11Bは、有用データ開始信号SOFAの供給後にも、データブロックのSOF区切りデータSDを継続的に再検出し、第2有用データ開始信号SOFBを生成させかつ供給させるように適合化されている。従って、SOF区切りデータSDの再検出は、第1データテスト手段12Aを使用したデータエラーについてのデータDのテストと平行して行われる。第2区切りデータ検出手段11Bは、SOF区切りデータSDの検出中に、第1区切りデータ検出手段11Aと同様に、データDの符号化タイプを検出するように適合化されている。本実施例の場合、第1符号化タイプの検出に応じて第3符号化情報CI1Bを生成させ、第2符号化タイプの検出に応じて第4符号化情報CI2Bを生成させることができる。さらに、第2区切りデータ検出手段11Bは、第1区切りデータ検出手段11Aと同様に、EOF区切りデータEDを検出して、第2有用データ終端信号EOFBを生成するように適合化されている。第2有用データ開始信号SOFB、第3符号化情報CI1B、第4符号化情報CI2B、および第2有用データ終端信号EOFBは、第2区切りデータ検出手段11Bによって第2データテスト手段12Bに与えることができる。第2区切りデータ検出手段11Bは、SOF区切りデータSDの再検出の後、SOF区切りデータSDの検出を作動させる。
【００６５】
第2データテスト手段12Bにおいては、第1データテスト手段12Aと同様に、データエラーについてのデータDのテストを、第2有用データ開始信号SOFBにより、第3符号化情報CI1Bまたは第4符号化情報CI2Bに従って開始させることができる。データエラーが発生すると、第2データテスト手段12Bは、図1に示されているデータテスト手段12と同様に、データエラー信号DEを生成することができる。本実施例の場合、データエラー信号DEは、第1区切りデータ検出手段11Aに与えることができる。
【００６６】
第1データテスト手段12Aと第2データテスト手段12Bは、データエラーが検出されない、すなわち、データUDが有効で有用であるたびごとに、有用データUDを有用データ処理手段13に供給するように適合化されている。
【００６７】
次に、区切りデータ検出手段11とデータテスト手段12の協動について説明する。区切りデータ検出手段11は、基本的にパワーオンリセット信号の出現によって開始させることができる。実際には、パワーオンリセット信号が現れると、第1区切りデータ検出手段11AによりSOF区切りデータSDの検出が開始される。SOF区切りデータSDが検出されると、第1有用データ開始信号SOFAが、第1データテスト手段12AによるデータエラーについてのデータDのテストを開始させ、他方、第2区切りデータ検出手段11BによるSOF区切りデータSDの再検出を開始させる。
【００６８】
第1データテスト手段12AがデータD内にデータエラーを検出すると、第1データテスト手段は、有用データを有用データ処理手段13に供給しない。さらに、第2区切りデータ検出手段11Bには、如何なるデータ有効性信号DVも、供給されない。第1データテスト手段12Aは、単にデータエラーについてのデータDのテストを作動させるのみである。
【００６９】
データエラーについてのデータDのテスト中に、第1データテスト手段12Aがデータエラーを検出しない場合には、第1データテスト手段12Aは、テストの終了時点で、データ有効性信号DVを第2区切りデータ検出手段11Bに供給し、その結果、第2区切りデータ検出手段11Bにおいて、SOF区切りデータSDの再検出が作動する。第1データテスト手段12Aは、有用データ処理手段13に有用データUDを供給する。
【００７０】
第1データテスト手段12AによりデータDのテスト中にデータエラーが検出される場合には、第1区切りデータ検出手段11Aによる、受信されたデータDのストリームとデータキャリア4の同期は、明らかに不正確であったと言える。従って、第2区切りデータ検出手段11BによるSOF区切りデータSDの再検出中に、有用データ開始信号SOFBにより、かつ第3符号化情報CI1Bまたは第4符号化情報CI2Bに従って、第2データテスト手段12Bにおいて、データエラーについてのデータDの新たなテストが開始される。
【００７１】
第2データテスト手段12BによるデータエラーについてのデータDのテスト中にデータエラーが検出されると、第2データテスト手段12Bによるテストが作動する。さらに、第2データテスト手段12Bは、有用データUDを有用データ処理手段13に供給しない。しかしながら、第2データテスト手段12Bは、データエラー信号DEによって、第1区切りデータ検出手段11Aによる、データキャリア4と受信されたデータDのストリームとのまったく新しい同期を開始する。
【００７２】
第2データテスト手段12BによるデータエラーについてのデータDのテスト時にデータエラーが検出されない場合は、第2データテスト手段12Bが作動する。さらに、第2データテスト手段12Bは、有用データ処理手段13に有用データUDを供給する。第2データテスト手段12Bによるテストが作動する。
【００７３】
データテスト手段12が有用データUDを有用データ処理手段13に供給すると、ただちに、受信準備完了信号Rの出現またはパワーオンリセット信号PORの出現の何れかによって、データキャリア4と受信されたデータDEのストリームとのまったく新しい同期を開始させることができる。
【００７４】
図6は、図1に示されているデータキャリア4に類似したデータキャリア4のブロック線図を示す。図6のデータキャリア4における区切りデータ検出手段11は、図5に示されているデータキャリア4に類似し、第1区切りデータ検出手段11Aと第2区切りデータ検出手段11Bによって形成される。同様に、データテスト手段12は、第1データテスト手段12Aと第2データテスト手段12Bによって形成される。第1区切りデータ検出手段11A、第1データテスト手段12A、および第2データテスト手段12Bは、デザインと機能に関して、それぞれ、図5に示されている第1区切りデータ検出手段11A、第1データテスト手段12A、および第2データテスト手段12Bと同じである。図6に示されているデータキャリア4の第2区切りデータ検出手段11Bは、図5に示されているデータキャリア4の第2区切りデータ検出手段11Bとは対照的に、第1有用データ開始信号SOFAにより開始させることはできない。
【００７５】
本実施例の場合、第2区切りデータ検出手段11BによるSOF区切りデータSDの再検出が、第1区切りデータ検出手段11Aによる第1有用データ開始信号SOFAの第1データテスト手段12Aへの供給後に行われることを保証するために、第2区切りデータ検出手段11Bは、SOF区切りデータSDの再検出が、第1区切りデータ検出手段11AによるSOF区切りデータSDの検出と同時に開始されるように、適合化されている。第2区切りデータ検出手段11Bは、第2区切りデータ検出手段11Bにより検出されたSOF区切りデータSDを計数するように適合化されている、図6に示されていない区切りデータ計数手段を含む。本実施例の場合、第2区切りデータ検出手段11Bは、第2区切りデータ検出手段11Bにより検出されるSOF区切りデータSDを自身が2つ数えたときのみ区切りデータ計数手段が第2有用データ開始信号SOFBを供給するように、構成されている。
【００７６】
区切りデータ検出手段11とデータテスト手段12のさらなる協動は、図5を参照して説明されたように、図5に示されている区切りデータ検出手段11とデータテスト手段12の間の協動と同じである。
【００７７】
ここで留意すべき点は、第2区切りデータ検出手段11Bが、第1区切りデータ検出段の一連の配置（図6には示されていない）と第2区切りデータ検出段の一連の配置（これも図6には示されていない）により実現され、第1区切りデータ検出段と第2区切りデータ検出段が、SOF区切りデータSDを検出するように適合化されていて、かつ、少なくとも第2区切りデータ検出段が、EOF区切りデータEDを検出するように適合化されていることである。第1区切りデータ検出段は、第1区切りデータ検出手段11Aと同時に開始されるように適合化されている。SOF区切りデータSDが検出されると、第1区切りデータ検出段は、第1有用データ開始信号SOFAと同時に有用データ開始副信号を生成し、この信号を第2区切りデータ検出段に供給させることができる。第2区切りデータ検出段は、有用データ開始副信号により開始されるように適合化されていて、これにより、データブロックの区切りデータSDの継続的な再検出が保証される。第2区切りデータ検出段は、SOF区切りデータSDの再検出に応じて、第2有用データ開始信号SOFBを、生成しそして供給するように適合化されている。
【００７８】
留意すべき点は、データ処理手段10の部分は、本発明およびその回路5に従ってデータキャリア4の技術的手段を実現するためにそのプログラムステップを実行することができる、マイクロプロセッサによって形成することができることである。
【００７９】
基本的にマイクロプロセッサにより形成されるデータ処理手段10に関し、留意すべき点は、供給抑制手段26は、ソフトウェアルーチンの一部として実現することができることである。
【００８０】
基本的にマイクロプロセッサにより形成されるデータ処理手段10に関し、さらに留意すべき点は、受信抑制手段27は、ソフトウェアルーチンの一部として実現できることである。
【００８１】
基本的にマイクロプロセッサにより形成されるデータ処理手段10に関し、さらに留意すべき点は、継続的な再検出を行うように適合化されている区切りデータ検出手段11と、特に有用データ開始検出手段15が、データテスト手段を形成する第2ソフトウェアルーチンと時間的に平行してマイクロプロセッサ上で実行できる第1ソフトウェアルーチンの一部として実現できる点である。
【００８２】
留意すべき点は、データキャリア4は、非接触型インタフェース以外に、接触型(contact-bound)インタフェースを有していてもよいことである。
【００８３】
接触型インタフェースに関して、さらに留意すべき点は、接触型インタフェースによるデータDの通信中に、第2通信プロトコルを使用できることである。
【００８４】
留意すべき点は、第2通信プロトコルは、非接触型インタフェース6のみを有するデータキャリア4の場合にも使用できることである。
【００８５】
留意すべき点は、データテスト手段12は、エラーのない有用データUDの場合に、データテスト手段12により受信される有用データ終端信号EOFなしで有用データUDを供給できるようにも、構成できることである。このように構成されるデータテスト手段12では、有用データ終端検出手段16を省略することができる。
【００８６】
留意すべき点は、電圧発生器9は、バッテリーの形式をとるか、または少なくとも1個の太陽電池により実現できることである。さらに留意すべき点は、クロック発生手段9Aは、発振器により実現することもできることである。従って、電圧発生器9とクロック発生手段9Aは、インタフェース6の回路部分を形成する必要がない。
【図面の簡単な説明】
【図１】  本発明の第1実施例におけるデータキャリアおよびデータキャリア用回路の関与する部分を、ブロック線図の形式で線図的に示す。
【図２】  本発明の第2実施例におけるデータキャリアおよびデータキャリア用回路を、図1に類似する方法で示す。
【図３】  本発明の第3実施例におけるデータキャリアおよびデータキャリア用回路を、図1に類似する方法で示す。
【図４】  本発明の第4実施例におけるデータキャリアおよびデータキャリア用回路を、図1に類似する方法で示す。
【図５】  本発明の第5実施例におけるデータキャリアおよびデータキャリア用回路を、図1に類似する方法で示す。
【図６】  本発明の第6実施例におけるデータキャリアおよびデータキャリア用回路を、図1に類似する方法で示す。
【符号の説明】
D  データ
UD  有用データ
SD  SOF区切りデータ
ED  EOF区切りデータ
CI1  第1符号化情報
CI2  第2符号化情報
CI1B  第3符号化情報
CI2B  第4符号化情報
CV  パルス計数
TV  時間測定値
V  決定基準
V1  第1決定基準
V2  第2決定基準
BZ  区切りデータ計数
W  有用データパルス計数
V  供給電圧
CLK  システムクロック
POR  パワーオンリセット信号
SOF  有用データ開始信号
EOF  有用データ終端信号
DE  データエラー信号
R  受信準備完了信号
IR  パルス検出信号
EOI  検出終了信号
DV  データ有効性信号
SOFA  第1有用データ開始信号
SOFB  第2有用データ開始信号
1  書き込み／読み取りデバイス
2  デバイスインタフェース手段
3  第1通信コイル
4  データキャリア
5  電気回路
6  インターフェイス
7  第2通信コイル
8  データ変換手段
9  電圧発生器
9A  クロック生成手段
10  データ処理手段
11  区切りデータ検出手段
11A  第1区切りデータ検出手段
11B  第2区切りデータ検出手段
12  データテスト手段
12A  第1データテスト手段
12B  第2データテスト手段
13  有用データ処理手段
14  メモリ手段
15  有用データ検出手段
16  有用データ終端検出手段
17  パルス検出手段
18  パルス計数手段
19  時間測定手段
20  評価手段
21  決定手段
22  基準格納手段
23  比較手段
24  参照データ計数手段
25  有用データパルス計数手段
26  供給抑制手段
27  受信抑制手段
28  時間測定手段
29  開始抑制手段
【図１】
0004758587.tif 000002
【図２】
0004758587.tif 000003
【図３】
0004758587.tif 000004
【図４】
0004758587.tif 000005
【図５】
0004758587.tif 000006
【図６】
0004758587.tif 000007